(57)【要約】      （修正有）【課題】衣服の着脱に援助が必要な被介護者のための上着であって、介護者の負担を減らすことができ、かつ、被介護者が快適に着用できる上着を提供する。【解決手段】長袖で、首元１が胸部分まで開閉可能であり、着脱時に被介護者の頭を通しやすくなっている。また、見ごろの側腹部から袖口にかけて開閉部３を有し、着脱時に開閉部３を大きく開くことによって手が袖を通過することを容易にする。着衣時には前もって首元１と見ごろの側腹部から袖口にかけての開閉部３を開いておき、頭を通した後に肘を曲げて袖口に手を通し、首元１と袖下の開閉部３を閉める。また、脱衣時には首元１と袖下の開閉部３を開き、同じように肘を曲げて手を袖から外し、頭を抜く。首元１の内側には片側のみ脱着可能な襠１１の設置により、被介護者が寒さを感じることなく快適に着用することができる。【選択図】図２
0003192143.tif 000002
【実用新案登録請求の範囲】
【請求項１】
衣服の着脱に援助が必要な被介護者用の長袖の上着であって、
胸部分まで開閉可能である首元と、
見ごろの側腹部から袖口にかけて設置された開閉部と、
を有し、
前記上着の着脱時に、
前記首元を開くことにより頭が前記首元を通過するのを、
前記開閉部を開くことにより手が袖を通過するのを、
容易にすることを特徴とする上着。
【請求項２】
前記首元はスナップボタンにより開閉されることを特徴とする請求項１記載の上着。
【請求項３】
前記開閉部は線ファスナーにより開閉されることを特徴とする請求項１又は２記載の上着。
【考案の詳細な説明】
【技術分野】
【０００１】
本考案は、肢体不自由者又は被介護者が簡単に着脱できる上着に関する。
【背景技術】
【０００２】
自発的に被服を着脱できない、又は着脱するのが困難である肢体不自由者又は被介護者（以後、まとめて「被介護者」という。）の被服脱着には介護者の援助が必要である。
【０００３】
手順としては、（１）頭からトレーナー等の被服を被らせる、（２）手を袖元に挿入させる、（３）袖口から手を突っ込んで被介護者の腕をつかみ引っ張りだす、という作業を行う。基本的には、乳児の着替えと同じ要領の作業であり、これを乳児よりはるかに大きい体型の者に対して行うことになるため、介護者の負担は大きい。
【０００４】
この負担を少しでも軽減させるために、肩口が開いたり首元を開けたりする仕様のものが市販されているが、肩口の開きが袖口までつながっていることはないので、このような被服によっても介護者の負担はそれほど軽減されない。
【先行技術文献】
【特許文献】
【０００５】
【特許文献１】特開２００８−１０６４０９号公報
【考案の概要】
【考案が解決しようとする課題】
【０００６】
前述のように、首元や肩口を広くとる等の工夫を凝らした被介護者を対象とした上着についても、袖口から被介護者の手を引っ張り出したり抜いたりする作業は必要となり、介護者の負担は大きい。
【０００７】
この問題を解決すべく、特許文献１には、袖が袖口から肩まで完全に開く着脱簡単衣服の発明が開示されている。同発明に係る衣服は、開閉部の留め具として、面ファスナーを一定間隔毎に配置している。しかしながら、一定間隔に配置された多くの面ファスナーの脱着には時間と正確さを要するうえ、面ファスナー間に多数の隙間ができるため、低温の場所や風がある所では着用者が不快感を持つ。また、被介護者の動きによっては、正確に着接していない部分の面ファスナーが外れることもある。とくに袖口の部分は開きやすいうえ、面ファスナーと肌との接触による不快感も生じやすい。
【０００８】
このような衣服は、もともと、心電図やカテーテル等が留置された病人が病院内で着用することを想定しているため、肌着程度の材質のものに、面ファスナーを使用して袖先までを全開としても着用者が不快感を持つことは少ないと考えられるが、車椅子等を使用して外出できる程度の介護者が、病院の外で普段着として着用するには不適当である。
【０００９】
上述の問題に鑑み、本考案においては、寝たきりの老人から車椅子等により外出が可能な肢体不自由者まで、衣服の着脱に援助が必要な被介護者のための上着であって、着脱における介護者の負担を最大限減らすことができ、かつ、被介護者が快適に着用することができる上着を提供することを課題とする。
【課題を解決するための手段】
【００１０】
上記課題を解決するために、本考案に係る被介護者のための上着は、長袖であって、首元が胸部分まで開閉可能になっているため、着脱時に被介護者の頭を通しやすくなっている。
【００１１】
また、両袖ともに、見ごろの側腹部から袖口にかけて開閉部を有し、着脱時に該開閉部を大きく開くことによって、手が袖を通過することを容易にしている。
【００１２】
着衣時には前もって首元と見ごろの側腹部から袖口にかけての開閉部を開いておき、頭を通した後に肘を曲げて手を袖口に通した後、腕を包み、首元と開閉部を閉める。また、脱衣時には首元と側腹部から袖口にかけての開閉部を開き、同じように肘を曲げて手を袖から外した後、頭を抜く。
【考案の効果】
【００１３】
大きく開いた首元及び側腹部から袖口にかけての開閉部の設置により、上着の着脱が容易になり、介護者の負担が大きく減少する。また、介護者の方も、開いた袖に腕を置き、やさしく包まれながら着衣できるため、従来のように手を引っ張り出されることによる着衣時の負担がなくなる。
【００１４】
開閉部の留め具として線ファスナーを使用するため、面ファスナー使用時に見られるように、着用時に留め部分が開いたり、隙間ができてしまう心配がない。
【００１５】
開閉部の一部を開けることにより、チューブ等の医療器具を際し込むことができるため、補助機材が取り付けられている患者の病床での着用も可能である。
【図面の簡単な説明】
【００１６】
【図１】ファスナーを閉じた状態の上着全体の斜視図である。
【図２】ファスナーを全開にしたときの上着全体の斜視図である。
【図３】上着の首元の拡大斜視図である。
【図４】着用時に開閉部を開いた時のイメージ図である。
【考案を実施するための形態】
【００１７】
以下、本考案の実施形態について図を用いて説明する。
【００１８】
図１及び２に示すように、本考案に係る上着の特徴は、開いた首元１と、見ごろ側腹部から袖口２にかけて開閉部３を有することを特徴とする。図1は着脱前の上着の全体図を、図２は着脱時の上着の全体図を示す。
【００１９】
本実施形態では、胸部分まで開く首元１の前内側部分に、片側が開閉可能である襠（まち）１１を配置し、首元１の暖感覚を保持している。また、襠１１の片側部分の開閉にはプラスチック製のソフトなスナップボタン１２を使用し、被介護者の装着感を良好にしている（図３）。
【００２０】
開閉部３は線ファスナー４を使用する。ファスナー４は、見ごろの側腹部に起点３１を有し、脇の下を通り、袖口２に終点３２を有する形で設置されている。また、開閉部３は袖下及び見ごろの側面よりもやや前部分に設置されており、被介護者が本上着を着用して車椅子等に乗ってもファスナー４やスライダー５が直接体を当圧しないような構成になっている。
【００２１】
また、カテーテル等の医療行為が必要な被介護者の場合には、側腹部のファスナー４を起点３１から一定部分開けることにより、チューブ等を差し込むことが可能になっている。
【００２２】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に首元の開き具合や袖下の開閉部の位置・長さ、開閉の手段については、様々な実施形態が可能であり、それらは本考案の技術的範囲に含まれるものと解する。
【符号の説明】
【００２３】
１    首元
１１  襠（まち）
１２  スナップボタン
２    袖口
３    開閉部
３１  開閉部起点
３２  開閉部終点
４    線ファスナー
５    スライダー
【図１】
0003192143.tif 000003
【図２】
0003192143.tif 000004
【図３】
0003192143.tif 000005
【図４】
0003192143.tif 000006